(57)【要約】【課題】  本発明の目的は、風などによるシートのめくれが起こらず、かつ簡易に施工できる土木用シート固定方法を提供することである。【解決手段】  地盤もしくは法面にシートを固定するシート固定方法であって、地盤もしくは法面にシートを広げる工程と、広げたシート端部に棒状材をシート端部と略平行に設置しシートを固定するシート固定方法。前記棒状材を折り曲げたシートで包み込んだ「棒状材・シートからなるユニット」と、「棒状材・シートからなるユニット」を地盤もしくは法面に釘材で止める工程を含むシート固定方法。前記「棒状材・シートからなるユニット」をキャップ材で挟着させた「棒状材・シート・キャップ材からなるユニット」を地盤もしくは法面に釘材で止める工程を含むシート固定方法。【選択図】図７
2014173369.tif 000002
【特許請求の範囲】
【請求項１】
地盤もしくは法面にシートを固定するシート固定方法であって、地盤もしくは法面にシートを広げる工程と、広げたシート端部に棒状材をシート端部と略平行に設置しシートを固定するシート固定方法。
【請求項２】
前記棒状材を折り曲げたシートで包み込んだ「棒状材・シートからなるユニット」と、「棒状材・シートからなるユニット」を地盤もしくは法面に釘材で止める工程を含む請求項１記載のシート固定方法。
【請求項３】
前記「棒状材・シートからなるユニット」をキャップ材で挟着させた「棒状材・シート・キャップ材からなるユニット」を地盤もしくは法面に釘材で止める工程を含む請求項１または２記載のシート固定方法。
【請求項４】
前記棒状材の断面形状が扁平の長方形である請求項１から３のいずれかに記載のシート固定方法。
【請求項５】
前記キャップ材の断面形状が、
一方が開口し他方が閉口しているＵ字形状のＵ字キャップ材で、
当該Ｕ字キャップ材の一方の開口部側腕に「かえし」があり、
当該Ｕ字キャップ材のもう一方の開口部側腕が湾曲形状である
請求項１から４のいずれかに記載のシート固定方法。
【請求項６】
前記シートが防草シートおよび／または植生シートおよび／または遮水シートである請求項１から５のいずれかに記載のシート固定方法。
【請求項７】
請求項１〜６のいずれかのシート固定方法を用いて製作したシート固定部分。
【発明の詳細な説明】
【技術分野】
【０００１】
本発明は、防草シート、植生シート、遮水シートなどの土木用シートを地盤に固定する際に使用するシート止め具及びシートの固定方法に関する。
【背景技術】
【０００２】
道路、線路、河川、公園やこれらの周辺の地盤表面及び法面などでは、雑草などの草の成育を防止するための防草シートの敷設、植生するための植生シートの敷設、雨水等を地盤に浸透させないための遮水シートの敷設など、様々な用途の土木用シートを敷設することがある。
【０００３】
シートを地盤に敷設する際、シートを地盤に固定する固定方法は様々ある。特許文献１では、針状器具をシート上部より打ち込んだり、シート端部においては屈曲釘状器具を使ってＵ字溝に固定する方法を採用してる。
【０００４】
また、特許文献２には、植生シートの端部をコンクリートブロックとコンクリートにて接続して固定する方法が開示されている。防草シート部の一端部をコンクリートブロック部の法面部側の面からコンクリートブロック部の内部に入れた状態で防草シート部の一端部をその全幅にわたってコンクリートブロック部に固定したので、防草シートの表裏面をコンクリートで挟んだ状態で固定することとなり、高い強度で防草シートを固定することができる。
【先行技術文献】
【特許文献】
【０００５】
【特許文献１】特開２０１０−０７７６８８号公報
【特許文献２】特開２００５−３０７５１８号公報
【発明の概要】
【発明が解決しようとする課題】
【０００６】
土木用シートを地盤に敷設する際にシート端部の処理が問題となる。しっかりとシート端部を固定しないと、シート端部と地盤面のとの隙間から風が入り込み、シートのめくれやシートの破れ等の問題が生じる。特許文献１のように屈曲釘状器具や針状器具等でシートを点で固定しようとすると、固定した点と点の間から風が入り込みめくれやすい。
【０００７】
また特許文献２では、シート端部をコンクリートで固めてしまう方法でシート端部を固定しているが、コンクリートを打設するのは大きな手間と費用がかかる。
【０００８】
本発明の目的は、風などによるシートのめくれが起こらず、かつ簡易に施工できる土木用シート固定方法を提供することである。
【課題を解決するための手段】
【０００９】
本発明者は、シート端部を棒状材で線状に押さえ、当該棒状材を釘材を用いて地盤に固定することにより、前記課題を解決できることを見出し、本発明を完成した。
【００１０】
請求項１記載の発明は、
地盤もしくは法面にシートを固定するシート固定方法であって、地盤もしくは法面にシートを広げる工程と、広げたシート端部に棒状材をシート端部と略平行に設置しシートを固定するシート固定方法である。
【００１１】
本発明は、地盤もしくは法面上に敷設するシート材を安定的に固定することを目的としており、敷設後に於いてもシート端部より風などが吹き込こんでめくれないようにシート端部の辺を線状に地盤若しくは法面に固定すること発明の要旨としている。
【００１２】
請求項２記載の発明は、
前記棒状材を折り曲げたシートで包み込んだ「棒状材・シートからなるユニット」と、「棒状材・シートからなるユニット」を地盤もしくは法面に釘材で止める工程を含む請求項１記載のシート固定方法である。
【００１３】
請求項３記載の発明は、
前記「棒状材・シートからなるユニット」をキャップ材で挟着させた「棒状材・シート・キャップ材からなるユニット」を地盤もしくは法面に釘材で止める工程を含む請求項１または２記載のシート固定方法である。
【００１４】
請求項４記載の発明は、
前記棒状材の断面形状が扁平の長方形である請求項１から３のいずれかに記載のシート固定方法ある。
【００１５】
請求項５記載の発明は、
前記キャップ材の断面形状が、
一方が開口し他方が閉口しているＵ字形状のＵ字キャップ材で、
当該Ｕ字キャップ材の一方の開口部側腕に「かえし」があり、
当該Ｕ字キャップ材のもう一方の開口部側腕が湾曲形状である
請求項１から４のいずれかに記載のシート固定方法ある
【００１６】
請求項６記載の発明は、
前記シートが防草シートおよび／または植生シートおよび／または遮水シートである請求項１から５のいずれかに記載のシート固定方法ある。
【００１７】
請求項７記載の発明は、
請求項１〜６のいずれかのシート固定方法を用いて製作したシート固定部分ある。
【発明の効果】
【００１８】
本発明により、風などによるシートのめくれが起こらず、かつ簡易に施工できる土木用シート固定方法を提供することができる。
【図面の簡単な説明】
【００１９】
【図１】棒状材の斜視図である。
【図２】キャップ材の斜視図である。
【図３】シートを棒状材に巻き込む際の断面図である。
【図４】シートを巻き込んだ棒状材にキャップ材を装着する際の断面図である。
【図５】シートを巻き込んだ棒状材にキャップ材を装着した断面図である。
【図６】「棒状材・シート・キャップ材からなるユニット」をコの字状釘材で地盤に固定する際の断面図である。
【図７】「棒状材・シート・キャップ材からなるユニット」をコの字状釘材で地盤に固定した断面図である。
【図８】本発明を実施した法面の斜視図である。
【図９】「棒状材・シート・キャップ材からなるユニット」を通常釘材で地盤に固定した断面図である。
【図１０】「棒状材・シートからなるユニット」コの字状釘材で地盤に固定した断面図である。
【図１１】「棒状材・シートからなるユニット」を通常釘材で地盤に固定した断面図である。
【発明を実施するための形態】
【００２０】
以下、本発明の実施形態について説明する。なお、本実施形態は、本発明を実施するための一形態に過ぎず、本発明は本実施形態によって限定されるものではなく、本発明の要旨を逸脱しない範囲で種々の変更実施の形態が可能である。
【００２１】
本発明は、地盤もしくは法面にシートを固定するシート固定方法であって、地盤もしくは法面にシートを広げる工程と、広げたシート端部に棒状材をシート端部と略平行に設置しシートを固定するシート固定方法である。本発明では、シート端部を棒状材で線状に押さえ、当該棒状材を釘材で地盤に固定することでシートの風によるめくれを抑止しているが、このような事例はこれまで知られていない。
【００２２】
以下、本発明に用いる部材を、図を用いて説明する。本発明に用いる部材は、棒状材、キャップ材、釘材であるが、これらは適宜用いられる。
【００２３】
図１は、棒状材の斜視図である。図１に示した棒状材は、断面が長方形で横に長い棒状のものである。断面形状は長方形に限らず、円、三角形、台形など、どのような形状でもよいが、シートに接する面は平らであったほうが好適である。断面が長方形の棒状材の大きさは、断面部分においては縦５ｍｍで横５ｃｍ程度、長さは１ｍ程度が好適である。材質は特には問わないが、軽くて耐腐食性の高い樹脂製がよく、なかでもオレフィン樹脂製が好適である。
【００２４】
図２は、キャップ材の斜視図である。図１に示したキャップ材は、断面がＵ字形状で横に長い。Ｕ字の開口部分はやや広く、閉口部分に向かって一旦幅狭になり、幅狭部より閉口部分側は幅狭部よりも広くなっている。幅狭部では、Ｕ字開口部の一方の腕は幅狭部に向かって屈曲しており、他方の腕は釣り針状の「かえし」がついている。これは挟み込んだシート及び棒状材が外れないようにするための工夫である。キャップ材の形状はこれに限定されず、挟み込むシート部材及び棒状材が外れない形状であればよい。また本願発明においては当該キャップ材を使わない構成も開示している（後述）。材質は特には問わないが、軽くて耐腐食性の高い樹脂製がよく、なかでもオレフィン樹脂製が好適である。
【００２５】
本発明において釘材は、「シート・棒状材・キャップ材からなるユニット」または「シート・棒状材からなるユニット」を地盤に固定するために用いるものである。固定の方法によってコの字状のもの（図６）、杭状のもの（図７）の２種類がある。前者は棒状材またはキャップ材の幅よりもやや大きめのコの字幅を必要とし、シートと棒状材の合わせた厚み分の長さと地盤に固定するのに十分な長さを足した長さを必要とする。後者は、杭状の形状をしており、杭の部分の長さはシートと棒状材の合わせた厚み分の長さと、地盤に固定するのに十分な長さを足した長さを必要とする。材質は特には問わないが、地盤に打ち込むため、剛性のある金属性が好適である。しかし、地盤が比較的軟らかい場合には、樹脂製でもよい。
【００２６】
本発明に適用可能なシートとしては、防草シート、植生シート、遮水シートなどが挙げられるが、棒状材に巻き込み可能な程度の厚み・堅さのあらゆる種類の土木用のシート利用可能である。シートの材質もポリエチレン、ポリプロピレンなどのオレフィン樹脂製、塩化ビニール製など様々あるが、どのような材質の樹脂製シートにも適用可能である。不織布でも織布でも押出成形やブロー成形で作製されたシートでも適用可能である。また、複数のシートを重ねて用いることも可能である。ただし、キャップ材を用いる場合には複数重ねたシートの厚みがキャップ材の挟着可能な範囲であることが必要である。
【００２７】
次に、本発明の実施形態１について説明する。
図３は、シートを棒状材に巻き込む際の断面図である。図のようにシート端部の棒状材の幅分だけ余白を残して、棒状材の端部をシート端部と平行に合わせ、シート端部を棒状材に巻き込むように折りたたむ。
【００２８】
図４は、シートを巻き込んだ棒状材（以下、「棒状材・シートからなるユニット」という）にキャップ材を装着する際の断面図である。キャップ材のＵ字開口部分にシートを巻き込んだ棒状材を差し込むように接続する。
【００２９】
図５は、シートを巻き込んだ棒状材（「棒状材・シートからなるユニット」）にキャップ材を装着した断面図である。キャップ材の幅狭部分が「棒状材・シートからなるユニット」を挟持して、「棒状材・シートからなるユニット」が外れないようになっている。以下、前記部位を「棒状材・シート・キャップ材からなるユニット」という。
【００３０】
図６は、「棒状材・シート・キャップ材からなるユニット」をコの字状釘で地盤に固定する際の断面図である。「棒状材・シート・キャップ材からなるユニット」を所定の地盤面に設置し、その上から当該ユニットを抱え込むような位置にコの字状釘材をセットし、コの字状釘材を地盤に打ち込んで、「棒状材・シート・キャップ材からなるユニット」を地盤に固定する。
【００３１】
図７は、「棒状材・シート・キャップ材からなるユニット」をコの字状釘材で地盤に固定した断面図である。本発明の完成形態を示した図である。
【００３２】
図８は、本発明を実施した法面の斜視図である。法面の最上部及び最下部に本発明のシート固定方法を実施している。「棒状材・シート・キャップ材からなるユニット」が法面の延長方向に連続的に続いていて、線でシートを押さえているために、シート内への風などの吹き込みが無く、シートがめくれあがらない。釘材は一定間隔で地盤打ち込んで「棒状材・シート・キャップ材からなるユニット」を固定している。釘材の打ち込み間隔は、棒状材やキャップ材の長さが１ｍの場合には、１ｍにつき２本程度が好適である。
【００３３】
図８のシートの中間部分の四角はテープであり、この部分は適宜アンカーピンなどを打ち込み、その上からテープなどを貼るとよい。テープを貼る理由は、アンカーピン打ち込み部分から雨水などの流入、風などによる破れ等の破損を防ぐためである。
【００３４】
またシート材の幅が数メートル単位で延長方向に並べた場合に隣のシートとの間に切れ目ができるが、この切れ目部分に対しても本発明を適用することができる。その場合、「棒状材・シート・キャップ材からなるユニット」は法面に対して垂直に並ぶことになる。
【００３５】
図９は、「棒状材・シート・キャップ材からなるユニット」を通常釘材で地盤に固定した断面図である。通常釘材は文字通り、アンカーピンやボルト、釘といった一般的な杭状の部材を指す。通常釘材を用いて「棒状材・シート・キャップ材からなるユニット」を地盤に固定する場合は、図９のように「棒状材・シート・キャップ材からなるユニット」を貫くことになる。この場合、あらかじめ棒状材とキャップ材の所定位置に通常釘材を打ち込むための穴をあけておくとよい。この通常釘材の打ち込み間隔も前記同様、棒状材やキャップ材の長さが１ｍの場合には、１ｍにつき２本程度が好適である。
【００３６】
図１０は、「棒状材・シートからなるユニット」をコの字状釘材で地盤に固定した断面図である。本発明は図１０のようにキャップ材を省略して、棒状材のみで施工することも可能である（以下、前記部位を「棒状材・シートからなるユニット」という）。この場合には、シート材ののりしろ部と向かい合うシート材とを熱融着や接着剤などで接着すると、釘材を打つまでの間にシート材と棒状材がずれることが無く施工しやすい。図１０では、釘材としてコの字状釘材を採用した例を示したが、打ち込み方はキャップ材がある場合と同様である。すなわち、「棒状材・シートからなるユニット」を所定の地盤面に設置し、その上から当該ユニットを抱え込むような位置にコの字状釘材をセットし、コの字状釘材を地盤に打ち込んで、「棒状材・シートからなるユニット」を地盤に固定する。
【００３７】
前記同様、釘材は一定間隔で地盤打ち込んで「棒状材・シートからなるユニット」を固定している。釘材の打ち込み間隔は、棒状材の長さが１ｍの場合には、１ｍにつき２本程度が好適である。
【００３８】
図１１は、「棒状材・シートからなるユニット」を通常釘材で地盤に固定した断面図である。本発明は図１１のようにキャップ材を省略して、棒状材のみで施工することも可能である。この場合には、シート材ののりしろ部と向かい合うシート材とを熱融着や接着剤などで接着すると、釘材を打つまでの間にシート材と棒状材がずれることが無く施工しやすい。図１１では、釘材として通常釘材を採用した例を示したが、打ち込み方はキャップ材がある場合と同様である。
【００３９】
通常釘材は文字通り、アンカーピンやボルト、釘といった一般的な杭状の部材を指す。通常釘材を用いて「棒状材・シートからなるユニット」を地盤に固定する場合は、図１１のように「棒状材・シートからなるユニット」を貫くことになる。この場合、あらかじめ棒状材の所定位置に通常釘材を打ち込むための穴をあけておくとよい。この通常釘材の打ち込み間隔も前記同様、棒状材の長さが１ｍの場合には、１ｍにつき２本程度が好適である。
【産業上の利用可能性】
【００４０】
本発明の防草シート、植生シート、遮水シートなどの土木用シートを地盤に固定する際に使用するシート止め具及びシートの固定方法を利用することで、風などによるシートのめくれが起こらず、かつ簡易に施工できるシート固定方法を提供することができる。
【符号の説明】
【００４１】
１    シート
２    棒状材
３    キャップ材
４    コの字状釘材
５    地盤
６    法面
７    棒状材・シート・キャップ材からなるユニット
８    シール
９    通常釘材
１０  のりしろ部
【図１】
2014173369.tif 000003
【図２】
2014173369.tif 000004
【図３】
2014173369.tif 000005
【図４】
2014173369.tif 000006
【図５】
2014173369.tif 000007
【図６】
2014173369.tif 000008
【図７】
2014173369.tif 000009
【図８】
2014173369.tif 000010
【図９】
2014173369.tif 000011
【図１０】
2014173369.tif 000012
【図１１】
2014173369.tif 000013